(57)【要約】【課題】液体収納容器に収納されたインクなどの液体を全体的に効率よく攪拌して、液体の濃度傾斜を少なくすることができる液体収納容器、およびインクジェット記録装置を提供すること。【解決手段】インクカートリッジのインク収納室内に、インクを案内する中空部１０４が形成された揺動部材１００を備える。その揺動部材１００は、シャフト１０６を中心として揺動可能、かつ、シャフト１０６に沿って移動可能に支持する。【選択図】図６
2008273040.tif 000002
【特許請求の範囲】
【請求項１】
液体を収納可能な液体収納部内に管状の揺動部材を備え、前記揺動部材には、一端側の開口部と他端側の開口部とを連通して液体を案内するための中空部が形成された液体収納容器であって、
前記揺動部材を、前記液体収納容器の移動に伴う慣性力によって所定の揺動方向に揺動可能、かつ前記揺動方向と交差する方向に移動可能に、支持する支持手段を備える
ことを特徴とする液体収納容器。
【請求項２】
前記支持手段は、前記一端側の開口部と前記他端側の開口部との間において移動速度に差が生じるように、前記揺動部材を揺動可能に支持することを特徴とする請求項１に記載の液体収納容器。
【請求項３】
前記支持手段は、前記液体収納部の内部に取り付けられて前記揺動部材を貫通するシャフトを備え、
前記シャフトは、当該シャフトを中心として前記揺動部材を揺動自在、かつ当該シャフトに沿って前記揺動部材をスライド自在に支持する
ことを特徴とする請求項１または２に記載の液体収納容器。
【請求項４】
前記液体収納部内の液体を外部に供給可能な液体供給口を備え、
前記シャフトは、前記液体供給口が重力方向の下側を向いている状態において、重力方向に傾斜する
ことを特徴とする請求項３に記載の液体収納容器。
【請求項５】
前記液体供給口が重力方向の下側を向いている状態において前記液体供給口の上側に位置する前記シャフトの部分は、前記液体供給口に向かって近付く方向に傾斜する
ことを特徴とする請求項４に記載の液体収納容器。
【請求項６】
前記一端側と前記他端側の開口部は、前記揺動部材が揺動したときの移動速度に差が生じることを特徴とする請求項１から５のいずれかに記載の液体収納容器。
【請求項７】
前記中空部は、前記揺動部材が揺動したときに、前記一端側と前記他端側の開口部の一方から導入した液体を他方から導出することを特徴とする請求項６に記載の液体収納容器。
【請求項８】
前記液体収納部内の液体を外部に供給可能な液体供給口を備え、
前記第１開口部と前記第２開口部は、前記液体供給口が重力方向の下側を向いている状態において重力方向の上下にずれて位置する
ことを特徴とする請求項１から７のいずれかに記載の液体収納容器。
【請求項９】
前記揺動部材の比重は、前記液体収納部内の液体の比重よりも大きいことを特徴とする請求項１から８のいずれかに記載の液体収納容器。
【請求項１０】
インクを収納可能なインクタンクと、前記インクタンク内のインクを吐出可能な記録ヘッドを、を搭載可能なキャリッジを備えたインクジェット記録装置において、
前記インクタンクは、
液体を収納可能な液体収納部と、
前記液体収納部内に備えられて、一端側の開口部と他端側の開口部とを連通して液体を案内するための中空部が形成された管状の揺動部材と、
前記揺動部材を、前記インクタンクの移動に伴う慣性力によって所定の揺動方向に揺動可能、かつ前記揺動方向と交差する方向に移動可能に、支持する支持手段と、
を備え、
前記インクジェット記録装置は、前記揺動部材を前記所定の揺動方向に揺動させるように、前記キャリッジを往復移動させる手段を備えることを特徴とするインクジェット記録装置。
【請求項１１】
前記揺動部材を前記揺動方向と交差する方向に移動させるように、前記キャリッジを移動させる手段を備えることを特徴とする請求項１０に記載のインクジェット記録装置。
【発明の詳細な説明】
【技術分野】
【０００１】
本発明は、インクなどの液体を収納する液体収納容器、および、その液体収納容器をインクタンクとして用いるインクジェット記録装置に関するものである。
【０００２】
本発明のインクジェット記録装置は、一般的な記録装置の他、複写機、通信システムを有するファクシミリ、プリント部を有するワードプロセッサ等の装置、さらには、各種処理装置と複合的に組み合わされた産業用記録装置に適用することができる。
【背景技術】
【０００３】
記録装置として、例えば、いわゆるシリアルタイプのインクジェット記録装置は、主走査方向に移動可能なキャリッジに、インクを吐出可能な記録ヘッドと、その記録ヘッドに供給するインクを収容するためのインクカートリッジと、が搭載される。画像の記録に際しては、キャリッジを主走査方向に移動させつつ、記録ヘッドの吐出口から記録媒体に向かってインクを吐出する動作と、主走査方向と交差する副走査方向に記録媒体を搬送する動作と、を繰り返す。記録ヘッドから吐出されたインク滴が記録媒体上に着弾することにより、所望の画像が記録される。
【０００４】
このようなインクジェット記録装置において用いられているインクの主流は、色材として染料を含有するインク（以下、単に「染料インク」ともいう）であった。しかし一般に、染料インクは耐光性および耐ガス性がやや低く、その染料インクによる記録物は、屋外掲示のような特殊用途において耐久性のある画像堅牢性を提供しにくい場合があった。
【０００５】
近年においては、色材として顔料を含有するインク（以下、単に「顔料インク」ともいう）を用いる記録装置が提供されてきている。顔料インクは耐光性および耐ガス性に優れ、それによる記録物も充分な画像堅牢性を発揮することができる。但し、顔料インクは、染料インクとは異なり、色材の分散性を考慮した取り扱いが要求される。
【０００６】
顔料インク中の顔料分子は、染料インク中の染料分子のようにインク溶液中には溶解せず、分散した状態で浮遊している。よって、顔料インクを収容するインクカートリッジが暫く静置されたままであると、そのインクカートリッジ内の顔料粒子は重力によって徐々に沈降し、インクカートリッジの高さ方向において顔料粒子の濃度傾斜が発生することがあった。すなわち、インクカートリッジの底部には色材濃度の高い層が位置し、その上部には色材濃度の低い層が位置することになる。この状態のインクカートリッジから記録ヘッドにインクを供給して画像の記録動作を開始し、そして記録動作を継続した場合には、記録動作の初期段階と後期段階において、画像に濃度差が発生するおそれがある。
【０００７】
具体的に説明するために、インクカートリッジの底部から記録ヘッドにインクを供給する構成のインクジェット記録装置を考える。この記録装置に、上述したように顔料粒子の濃度傾斜を有するインクカートリッジを装着して、記録を開始した場合、その当初においては、色材濃度の高いインクカートリッジ内の下層のインクが供給されるため、必要以上に高濃度な画像が記録される。その後、記録動作を続行することにより、インクカートリッジ内のインクの消費にしたがって、画像の記録濃度は徐々に低下する。そして、インクカートリッジ内のインクが少量になった状態においては、インクカートリッジ内には、当初の色材濃度よりも低い色材濃度のインクしか残存しなくなる。そのため、記録当初と同じ画像データに基づいて画像を記録したとしても、記録濃度が不十分となる。特に、顔料粒子の径や比重が大きい場合には、その沈降傾向が著しいため、インクカートリッジの非使用状態が数日間続くだけでも画像に影響が現れるほどの濃度傾斜が発生するおそれがある。
【０００８】
このように、インクカートリッジの使用に伴って、記録ヘッドから吐出されるインクの色材濃度が変化した場合には、インクカートリッジの使用初期と使用後期において記録画像に濃度差を発生させるだけではない。例えば、複数のカラーインクを用い、所定のカラーバランスのもとに所望の色相を表現するカラーインクジェット記録システムにおいては、カラーバランスが崩れるおそれがある。その場合には、より顕著な画像問題として認識されることになる。
【０００９】
インクカートリッジ内に残存するインク量の如何に拘わらず、記録ヘッドから吐出されるインク滴の色材濃度を所望の範囲内に維持するためには、少なくとも記録動作中に、インクカートリッジ内の顔料分子が一様に分散していることが望まれる。
【００１０】
このような顔料分子の一様な分散を実現するために、インクカートリッジの内部に、顔料分子を攪拌するための攪拌部材を設ける構成が提案されている（例えば、特許文献１および特許文献２参照）。
【００１１】
例えば特許文献１には、第１および第２の実施形態として、手動操作が可能な攪拌部材を備えたインクパック（あるいはタンク）が開示されている。その攪拌部材は、インクパックあるいはインクカートリッジに対して、外部から挿入されたような形状になっている。外部に突出している攪拌部材の部分は、インクパック（あるいはタンク）内に延在している攪拌部を動作させるための操作部として作用する。つまり、ユーザが定期的あるいは必要に応じて攪拌部を揺動させることにより、インクパック（あるいはインクカートリッジ）内のインクを攪拌して、顔料分子を分散できるようになっている。
【００１２】
また特許文献１には、第３の実施形態として、記録動作時にキャリッジが移動する際の慣性力を利用して、タンク内のインクを攪拌させる攪拌部材を設けたインクカートリッジが開示されている。例えば、インクカートリッジケースと一体に成形された撹拌部材が示されている。この例では、攪拌部材がインクカートリッジケースの天井から底部に向けて垂れ下がるように延出しており、その下端部には円柱状の錘部が形成されている。その攪拌部材は、キャリッジの加速・停止・反転の動作に伴う慣性力によって、天井の付け根部分を支点としてキャリッジの移動方向に揺動し、インクカートリッジ内のインクを攪拌する。
【００１３】
また、特許文献１には、別例として、インクカートリッジケースに固定されずに、インクカートリッジ内の底面を自由に移動可能な撹拌部材も開示されている。この攪拌部材は、キャリッジの加速・停止・反転の動作に伴う慣性力によって、インクカートリッジ内の底面を移動してインクを攪拌する。
【００１４】
一方、特許文献２には、キャリッジの移動に伴う慣性力によって、揺動中心軸を中心として左右に揺動する軸状錘と、この軸状錘と一体となって左右に揺動する複数のフィンと、を備えた攪拌機構が開示されている。この構成によれば、複数枚のフィンがインクカートリッジの高さ方向に並列に配置されているため、インクカートリッジ内の上層部から下層部にかけてインクが均等に攪拌される。
【００１５】
【特許文献１】特開２００５−０６６５２０号公報
【特許文献２】特開２００４−２１６７６１号公報
【発明の開示】
【発明が解決しようとする課題】
【００１６】
しかしながら、上記特許文献に記載の構成においては、撹拌部材によるインクの攪拌領域が限定されているため、インクを効率よく攪拌することが難しかった。
【００１７】
例えば、特許文献１の実施形態１および２に記載の手動式の攪拌部材を備えた場合には、その撹拌部材の移動の自由度が小さいために、インクカートリッジ内の限られた領域内のインクしか攪拌することができない。特に、攪拌部材とインクカートリッジとの接合部分（攪拌部の支点となる部分）の近傍では、攪拌部の移動域が狭いために充分な攪拌効果が得られない。
【００１８】
また、特許文献１の実施形態３における構成では、慣性力を効率的に利用してはいるものの、やはり攪拌可能な範囲が充分ではない。また、インクカートリッジ内の底面を自由に移動可能な撹拌部材を用いた場合には、インクカートリッジの底部近傍のインクに対する攪拌は期待できるものの、その撹拌部材から離れているインクカートリッジ内の上層部領域に対する撹拌効果は期待できない。
【００１９】
一方、特許文献２に記載の構成は、複数のフィンがインクカートリッジの高さ方向に配備されているため、その高さ方向における攪拌効果はある程度期待できる。しかし、インクカートリッジ内の中心軸付近はフィンの揺動量が小さいため、撹拌効果は小さい。また、このように複数のフィンや回転軸を備える揺動部材は複雑な構成となるため、インクカートリッジ自体も高価なものになってしまう。
【００２０】
上述したように、インクカートリッジ内における顔料インクは、顔料粒子が重力にしたがって徐々に沈降することにより、インクカートリッジの高さ方向に顔料粒子の濃度傾斜が引き起こされる。このようなインクカートリッジ内の濃度差を解消するには、インクカートリッジの下層部における高濃度のインクを積極的に上層部に巻き上げるように、インクを攪拌することがより効率的である。
【００２１】
本発明の目的は、液体収納容器に収納されたインクなどの液体を全体的に効率よく攪拌して、液体の濃度傾斜を少なくすることができる液体収納容器、およびインクジェット記録装置を提供することにある。
【課題を解決するための手段】
【００２２】
本発明の液体収納容器は、液体を収納可能な液体収納部内に管状の揺動部材を備え、前記揺動部材には、一端側の開口部と他端側の開口部とを連通して液体を案内するための中空部が形成された液体収納容器であって、前記揺動部材を、前記液体収納容器の移動に伴う慣性力によって所定の揺動方向に揺動可能、かつ前記揺動方向と交差する方向に移動可能に、支持する支持手段を備えることを特徴とする。
【００２３】
本発明のインクジェット記録装置は、インクを収納可能なインクタンクと、前記インクタンク内のインクを吐出可能な記録ヘッドを、を搭載可能なキャリッジを備えたインクジェット記録装置において、前記インクタンクは、液体を収納可能な液体収納部と、前記液体収納部内に備えられて、一端側の開口部と他端側の開口部とを連通して液体を案内するための中空部が形成された管状の揺動部材と、前記揺動部材を、前記インクタンクの移動に伴う慣性力によって所定の揺動方向に揺動可能、かつ前記揺動方向と交差する方向に移動可能に、支持する支持手段と、を備え、前記インクジェット記録装置は、前記揺動部材を前記所定の揺動方向に揺動させるように、前記キャリッジを往復移動させる手段を備えることを特徴とする。
【発明の効果】
【００２４】
本発明によれば、液体収納容器の液体収納部内に、液体を案内する中空部が形成された揺動部材を備え、その揺動部材は、所定方向に揺動可能、かつ、その揺動方向と交差する方向に移動可能に支持する。これにより、揺動部材の揺動と移動を伴って、液体収納部内の液体全体を効率よく攪拌することができる。
【００２５】
例えば、液体収納容器が顔料インクを収納するインクタンクを構成する場合には、その顔料インクを効率よく攪拌して、その顔料成分の濃度を均一化することにより、長期間放置した後においても高品位の画像を記録することができる。また、画像の記録動作前におけるインクの攪拌時間を短縮することもできる。
【発明を実施するための最良の形態】
【００２６】
以下、本発明の実施形態を図面に基づいて説明する。
【００２７】
（第１の実施形態）
本実施形態における液体収納容器は、いわゆるシリアルスキャンタイプのインクジェット記録装置に搭載可能なインクカートリッジ（カートリッジタイプのインクタンク）としての適用例である。
【００２８】
図１は、本例におけるインクジェット記録装置の外観斜視図である。この記録装置は、記録媒体に対しての記録を行なう装置本体Ｍ１０００と、記録媒体を装置内へ供給するための給紙部Ｍ３０２２と、記録後の記録媒体を受容する排紙トレイＭ１００４と、から主に構成されている。
【００２９】
図２は、装置本体Ｍ１０００の内部機構を説明するための斜視図である。装置本体Ｍ１０００の主な内部機構は、シャーシＭ３０１９に設置・保護されている。Ｍ４００１はキャリッジであり、不図示の記録ヘッドカートリッジを搭載した状態で矢印Ｘの主走査方向へ往復移動可能である。記録動作コマンドが入力されると、給紙部Ｍ３０２２に積載されている記録媒体の１枚が給紙され、キャリッジＭ４００１上の記録ヘッドカートリッジによって画像が記録可能な位置まで搬送される。その後、キャリッジＭ４００１が主走査方向に移動しながら、記録ヘッドカートリッジの記録ヘッドが画像データに基づいてインクを吐出する記録走査と、搬送手段によって記録媒体を矢印Ｙの副走査方向へ搬送する動作と、を繰り返す。これにより、記録媒体に順次画像が形成される。
【００３０】
図３は、本例における記録ヘッドカートリッジＨ１００１とインクカートリッジ（液体収納容器）の斜視図である。記録ヘッドカートリッジＨ１００１の一側には、吐出口からインク滴を吐出可能な記録ヘッドＨ１０００が備えられ、その反対側には、記録ヘッドＨ１０００にインクを供給するためのインクカートリッジ１が着脱可能に装着される。本例の記録ヘッドカートリッジＨ１００１には、６色分のインクカートリッジ１が独立に装着できるようになっている。
【００３１】
記録ヘッドＨ１０００には、微細な記録素子が複数配列されており、各記録素子にはインクを吐出させるための機構が備わっている。例えば、インクの吐出エネルギーを発生するための手段としては、発熱抵抗体（ヒータ）などの電気熱変換素子が配備された構成では、インクの吐出信号に応じて、個々の電気熱変換素子に電圧パルスが印加される。これにより、発熱抵抗体の近傍のインクが急激に加熱され、そのときに生じる膜沸騰の作用によって、インク滴が吐出口から吐出される。インクの吐出エネルギーを発生するための手段としては、ピエゾ素子などを用いることもできる。
【００３２】
（インクカートリッジ全体の構成）
図４は、インクカートリッジ１の外観斜視図である。インクカートリッジ１は、内部にインク収納室を備えた容器であり、主に、インク容器１０と蓋部材２０から構成されている。インクカートリッジ１の底部には、記録ヘッドＨ１０００にインクを供給可能なインク供給口（液体供給口）３０が備えられている。
【００３３】
図５は、インクカートリッジ１の分解斜視図である。インク容器１０は、例えばポリプロピレンで形成されており、その内部のインク収納室８０には、図６のように、ばね部材５０、板部材６０、可撓性フィルム７０、およびインクを攪拌するための揺動部材１００が収容される。そして、インク容器１０の開口周縁部は、蓋部材２０によって封じられる。インク容器１０の内壁には、揺動部材１００を支持するための支持部４０が形成され、またインク供給口３０を形成するインク容器１０の部位には、メニスカス形成部材３１が備えられている。
【００３４】
メニスカス形成部材３１は、例えば、ポリプロピレンの繊維材料から形成されて毛細管力を有する毛管部材、または、この毛管部材とフィルター部材（透過寸法は１５〜３０μｍ程度、材質はステンレス材料やポリプロピレン等）を組み合わせた吸収体である。メニスカス形成部材３２とインク容器１０の内部との間は、インク流路によって連通されており、インク収納室８０から、記録ヘッドＨ１０００にインクが供給できるようになっている。また、メニスカス形成部材３２内にはインクによるメニスカスが形成され、外部からの気泡がインク容器１０内に侵入しないようになっている。メニスカス形成部材３１は、押え部材３２によって外側から押されて止められている。
【００３５】
インク容器１０の開口周縁部には可撓性フィルム７０が溶着され、これにより、インク容器１０内にインク収納室８０（図８参照）が形成される。インクは、可撓性フィルム７０とインク容器１０とによって形成されたインク収納室８０に収容される。可撓性フィルム７０は、例えば、ポリプロピレンの薄膜のような、厚み２０〜１００μｍ程度のフィルム部材であればよい。ばね部材５０は、板部材６０を介して可撓性フィルム７０を外方に付勢する。外方に付勢された可撓性フィルム７０は、図８のように、インク収納室８０の外側に向かって突出する凸型となる。この可撓性フィルム７０は、蓋部材２０によって保護され、また凸型部の突出量が制限される。このようなばね部材５０の付勢力により、インク収納室８０内は負圧状態となる。
【００３６】
蓋部材２０には、不図示の大気連通部が設けられており、インク収納室８０の外側は大気圧に保たれる。ばね部材５０と板部材６０は、例えば、ステンレス材料により形成されている。
【００３７】
インク収納室８０内のインクが記録ヘッドへの供給によって消費されるにつれて、ばね部材５０の縮みを伴って可撓性フィルム７０が撓み、インク収納室８０の容積が減少していく。本例のインクカートリッジ１は、板部材６０がインク容器１０の内壁に接触するまで、インク収納室８０内のインクを消費することが可能である。
【００３８】
（充填されるインクの組成）
本例において使用されるインクは、例えば、顔料を含有するインク（顔料インク）である。その顔料インクの顔料は、例えば、分散剤や活性剤を用いる樹脂分散剤タイプの顔料（樹脂分散型顔料）や、活性剤分散タイプの顔料であってもよい。その顔料は、水不溶性色剤自体の分散性を高めることによって、分散剤等を用いることなく分散可能としたマイクロカプセル型顔料であってもよく、また、顔料粒子の表面に親水性基を導入した自己分散タイプの顔料（自己分散型顔料）でもよい。更には、顔料粒子の表面に高分子を含む有機基が化学的に結合することによって、改質された顔料（ポリマー結合型自己分散顔料）を用いることもできる。もちろん、これらの分散方法の異なる顔料を組み合わせて使用することも可能である。本発明において使用できる顔料は、特に限定されるものではない。
【００３９】
下表１に、本例において使用する顔料インクの組成を２種類（顔料インク１，２）例示する。しかし本発明は、これらの組成に限定されるものではない。
【００４０】
本例において使用する顔料インクは下表１に示すインク配合比であって、顔料分散体１には自己分散型の顔料が使用され、顔料分散体２には樹脂分散型の顔料が使用されている。また、顔料分散体１と顔料分散体２は、いずれも顔料に水を加えて、顔料濃度が１０質量％となるように分散させることにより、分散液を調合している。各溶剤の配合は、下表１に記載されている。
【００４１】
【表１】
2008273040.tif 000003
【００４２】
インクタンクに注入する顔料インクの比重は、揺動部材の比重より小さいものが望ましい。本実施例における揺動部材は、ステンレス材料であって比重が８．０ｇ／ｃｍ3であり、顔料インクの比重は１．０〜１．１ｇ／ｃｍ3であり、揺動部材よりも顔料インクの比重が小さい。
【００４３】
（攪拌機構の構成）
図６は、揺動部材１００の設置状態を説明するための斜視図である。
【００４４】
揺動部材１００の下方寄りの両側には孔（支持部）１０７が形成され、また、インク容器１０の内壁には、これらの孔１０７を貫通するシャフト１０６が取り付けられている。これにより揺動部材１００は、シャフト１０６を中心として揺動自在、かつばね部材５０と接触しないように支持される。シャフト１０６は揺動部材１００の揺動支点となると共に、その軸線方向に沿って揺動部材１００のスライド自在にガイドする。シャフト１０６は、インク供給口３０側が低くなるように斜めに取り付けられている。
【００４５】
揺動部材１００には、インク容器１０の重力方向の下側に位置する下側開口部１０２と、その上側に位置する上側開口部１０３と、が形成されている。つまり、揺動部材１００には、鉛直方向の上側位置する上側開口部１０３と、鉛直方方向の下側に位置する下側開口部１０２が形成されている。そして揺動部材１００は、それらの開口部１０２，１０３の間の内部が中空の中空部１０４となるように、立体的に成形されている。その中空部１０４によって、開口部１０２，１０３の間を連通するインク流路（液体流路）が形成されている。さらに、揺動部材１００は、インク収納室８０内にインクが充填されると、開口部１０２，１０３および中空部１０４がインク中に没する構成となっている。
【００４６】
本例の揺動部材１００は、ステンレス材料によって形成されている。本発明における揺動部材の材質は、これに限られるものではない。しかし、揺動部材１００の形成材料は、インク収納室８０内に収容されたインクよりも比重が大きい材料であることが望ましい。さらに、使用するインクの比重、粘度、および後述するキャリッジの移動速度等によって、揺動部材１００の移動速度が変わって、撹拌効率が変わることがあるため、揺動部材１００の比重は、種々の条件に応じて適宜選択されることが望ましい。
【００４７】
（揺動部材の揺動および作用）
図８は、本例における揺動部材１００の動作を説明するためのインクカートリッジ１の側断面図であり、図１７のＶＩＩＩ−ＶＩＩＩ線に沿う断面図である。図５のインクカートリッジ１において、インク収納室８０を形成する図８中左右の内壁は、一方がインク容器１０の内壁であり、他方が板部材６０である。しかし以下においては、便宜上、それらの内壁が図８のようにインク容器１０の内壁であるとして説明する。
【００４８】
図８（ａ）は、揺動部材１００の第１の状態を示す。キャリッジＭ４００１は記録媒体の記録幅の範囲において主走査方向（矢印Ｘ方向）往復移動するため、その移動方向が反転する際には、減速、停止、および反対方向への加速が行なわれる。その際、インクカートリッジ２には慣性力が働く。その慣性力が矢印Ｘ１方向に働く場合、つまりキャリッジＭ４００１の移動方向が矢印Ｘ２方向からＸ１方向に反転する場合、揺動部材１００は、図８（ａ）のように、支持部としての孔１０７を支点として矢印Ａ１方向に回転する。このとき上側開口部１０３側は、インク容器１０の一方の内壁に接触する。ここでは、このように慣性力がＸ２方向に働いている状態を第１の状態としている。キャリッジＭ４００１の移動方向が矢印Ｘ２方向からＸ１方向に反転した後、キャリッジＭ４００１が矢印Ｘ１方向の等速移動するときには、慣性力は働かなくなり、揺動部材１００は第１の状態のままに保たれる。
【００４９】
図８（ｂ）は、揺動部材１００の第２の状態を示す。第２の状態は、第１の状態とは逆に、慣性力がＸ１方向に働く場合、つまりキャリッジＭ４００１の移動方向が矢印Ｘ１方向からＸ２方向に反転する場合であり、揺動部材１００は、図８（ｂ）のように、孔１０７を支点として矢印Ａ２方向に回転する。このとき上側開口部１０３側は、図８（ａ）の場合とは反対にインク容器１０の他方の内壁に接触する。ここでは、このように慣性力がＸ１方向に働いている状態を第２の状態としている。キャリッジＭ４００１の移動方向が矢印Ｘ１方向からＸ２方向に反転した後、キャリッジＭ４００１が矢印Ｘ２方向の等速移動するときには、慣性力は働かなくなり、揺動部材１００は第２の状態のままに保たれる。
【００５０】
記録動作もしくはインクを撹拌する動作に伴って、キャリッジＭ４００１が往復移動を繰り返すため、揺動部材１００は、繰り返し図８（ａ），（ｂ）の第１および第２の状態となって、インク収納室８０内のインクを攪拌する。
【００５１】
図８（ｃ）は、揺動部材１００が揺動するときの開口部１０２，１０３の変位方向、変位量、およびインクの流れを示す。
【００５２】
上述したように、揺動部材１００の揺動に伴う上側開口部１０３の変位量Ｘ（１０３）は、下側開口部１０２の変位量Ｘ（１０２）よりも大きい。そのため、上側開口部１０３とその近傍のインクとの相対的な移動速度は、下側開口部１０２とその近傍のインクとの相対的な移動速度よりも速くなる。上側開口部１０３、下側開口部１０２、および中空部１０４が共にインクに没しているとき、２つの開口部１０２，１０３の速度差により、下側開口部１０２の近傍のインクと、上側開口部１０３の近傍のインクと、の間に圧力差が生じる。
【００５３】
本例では、上側開口部１０３とその近傍のインクとの相対的な移動速度が、下側開口部１０２とその近傍のインクとの相対的な移動速度よりも速いため、上側開口部１０３近傍のインクの圧力は、下側開口部１０２近傍のインクより低くなる。したがって、下側開口部１０２から上側開口部１０３に向かって、中空部１０４を通してインクの流れＢ１，Ｂ２，Ｂ３が生じる。このインクの流れを利用して、インク収納室８０の下層部に沈降しがちな顔料粒子を上層部にまで持ち上げることができ、この結果、インク収納室８０内の顔料粒子を攪拌することができる。
【００５４】
本発明者らは、攪拌効果を検証するために、揺動部材の中空部が没せられる位置まで顔料インクをインクカートリッジに注入した。そして、顔料インクの沈降する現象を短期間で検証するために、そのインクカートリッジを加温保存した。加温保存は温度６０℃で９０日間保存した。加温保存したインクカートリッジを常温環境化に置き温度をさました後、揺動部材を揺動させずにインクカートリッジ内の重力方向の下側に位置する顔料インクを採取した。また、同様に加温保存後の別のインクカートリッジでは、揺動部材を揺動させてから、インクカートリッジ内の重力方向の下側に位置する顔料インクを採取した。そして、これら両者のインクカートリッジから採取した顔料インクの顔料濃度を比較した。
【００５５】
下表２は、このように加温保存後に攪拌せずに採取した顔料インクの顔料濃度と、加温保存後に上述した方法によって攪拌してから採取した顔料インクの顔料濃度と、を示す。下表２中の顔料濃度は、加温保存前の顔料濃度を１００としたときの相対値である。下表２に示すように、撹拌をしなかったときの前者の顔料濃度は１７０であり、撹拌をしたときの後者の顔料濃度は１２０未満であった。これにより、上述した撹拌方法を実施することにより、インクの顔料濃度を加温保存前の顔料濃度に近づくことが確認できた。
【００５６】
【表２】
2008273040.tif 000004
【００５７】
このように本実施形態においては、揺動部材が揺動したときに、その下側に形成される開口部の移動速度が、その上側に形成される開口部よりも遅くなるように構成することにより、インク容器内の下層部から上層部に向かうインクの流れを生じさせる。そのインクの流れにより、インク容器内にて、濃度の濃いインクと薄いインクとを対流させて、効率よく攪拌することができる。この結果、インクタンクの使用初期と使用後期において、記録画像に濃度差が生じることを防止したり、複数のカラーインクを用いた時に発生するカラーバランスの崩れを防止することができる。
【００５８】
揺動部材の上側開口部と下側開口部の移動速度差を大きくするためには、揺動部材１００の揺動支点が下側開口部に近く、上側開口部から遠いほど有利である。揺動部材が剛体である場合には、少なくとも揺動部材の揺動支点から、上側開口部および下側開口部までの距離が異なっている必要がある。
【００５９】
また、揺動部材１００が一方向に揺動し、続いて逆方向に反転する直前に、中空部１０４内のインクに慣性力を働かせることにより、その中空部１０４内のインクに上側開口部１０３に向かう流れを生じさせることもできる。揺動方向の反転時に、中空部１０４内のインクは、慣性力によって下側開口部１０２から上側開口部１０３に向かう推進力を受け、その中空部１０４を通して、図８（ｃ）のようなインクの流れＢ１，Ｂ２，Ｂ３が生じる。このインクの流れを利用して、インク収納室８０の下層部に沈降しがちな顔料粒子を上層部にまで持ち上げることができる。この結果、インク収納室８０内の顔料粒子を効率よく攪拌することができる。揺動部材１００の揺動方向は、必ずしも反転する必要は無い。慣性力によって、インク収納室の底部に位置する顔料粒子を揺動部材の中空部を経由して容器上部へ巻き上げるための充分な推進力が加えられればよく、揺動部材の一方向の揺動の後、その揺動部材が停止しても構わない。
【００６０】
また、揺動部材１００の揺動によって中空部１０４内のインクに遠心力を働かせることにより、その中空部１０４内のインクに、上側開口部１０３に向かう流れを生じさせることもできる。また、揺動部材１００の外壁とインク収納室８０の内壁との相対的な近接および離間変位によって、機械的にインクの流れを生じさせることもできる。
【００６１】
いずれの構成においても、中空部を有する揺動部材を液体収納容器内に備え、その揺動部材を揺動させることにより、その中空部の一端側から液体を中空部内に流入させて、その中空部の他端側から液体を流出させるように、液体を中空部内に案内できればよい。それにより、液体収納容器内の液体を攪拌する上において、効果的な液体の流れを生じさせることができる。
【００６２】
本実施形態のように、揺動部材における鉛直方向下側の開口部近傍に揺動支点を設けた場合、インク収納室の下層部に沈降しがちな顔料粒子を容易かつ確実に上層部にまで持ち上げることができる。すなわち、揺動部材の鉛直方向中央部よりも下側に揺動支点を位置させることにより、重力方向下方に位置する開口部から導入したインクを重力方向上方に位置する開口部から導出することができる。つまり、中空部を経由して、重力方向の下方から上方に向かってインクを案内して攪拌することができる。この結果、液体収納容器に収納されたインクなどの液体の全域を効率的に攪拌して、その液体の濃度傾斜を少なくすることができる。撹拌の効果は、インク収容室の寸法、揺動部材の内径、揺動部材の周囲長、揺動部材の表面積、揺動部材の長さ、揺動部材の比重、揺動部材の移動速度、揺動部材の移動距離、インクの粘度、接触角、インクの比重等のパラメータにより差が生じる。しかしながら、このようなパラメータは、インクタンク内のインクが揺動部材の中空部を経由して、容器内部を移動するために充分な推進力が得られるのであれば、どのように設定してもよい。タンク内のインクに作用する遠心力、および慣性力によって、このような推進力が発生するように、揺動部材１００を揺動させればよい。このような揺動部材の揺動によって、インクタンク内のインクを撹拌することが可能となる。
【００６３】
（揺動部材のスライド動作および作用）
図９は揺動部材１００のスライド動作および作用を説明するための図である。図９中の紙面の表裏方向は、主走査方向（矢印Ｘ方向）に対応する。
【００６４】
図９（ａ）に示すように、シャフト１０６は、インク供給口３０側が低くなるように傾けて、インク容器１０に取り付けられている。すなわち、インク供給口３０が重力方向の下側を向いている状態（インクカートリッジの使用状態）において、インク供給口３０の上側に位置する車夫と１０６の部分がインク供給口３０に向かって近付く方向に傾斜する。そのため揺動部材１００は、通常、図９（ａ）のようにインク供給口３０側の位置にスライドしている。したがって、前述したように記録動作や攪拌動作のためにキャリッジＭ４００１が主走査方向に移動した際、揺動部材１００は図９（ａ）の位置にて揺動して、インク供給口３０近傍のインクをより集中的に攪拌することになる。
【００６５】
インク容器１０内のインク全体をより効率よく攪拌するためには、図９（ｂ）〜（ｄ）のように、揺動部材１００をスライドさせつつ揺動させる。
【００６６】
まずは、図９（ｂ）に示すようにインク供給口３０側が高くなるように、インクカートリッジ１を搭載しているキャリッジＭ４００１を傾ける。これにより、揺動部材１００は、シャフト１０６に沿ってインク供給口３０側とは反対側の矢印Ｃ１方向にスライドして、図９（ｃ）のような位置に収まる。この状態から、キャリッジＭ４００１が主走査方向の往復移動を開始すると、揺動部材１００は、前述したように主走査方向の揺動をしながら、自重により徐々にインク供給口３０側に向かって矢印Ｃ２方向にスライドする。この結果、揺動部材１００は、インク容器１０内を移動（スライド）しながら揺動して、インク容器１０内全体のインクをより効率よく攪拌することができる。また、揺動部材１００がシャフト１０６に沿って移動するため、それらの間に付着部が生じた際には、その付着物を排除して、揺動部材１００の信頼性を高めることができる。揺動部材１００の移動方向（矢印Ｃ１，Ｃ２方向）は、揺動部材１００の揺動方向と交差する方向である。
【００６７】
揺動部材１００を矢印Ｃ１方向に移動させるための移動手段としては、種々の構成のものを用いることができる。例えば、キャリッジＭ４００１を主走査方向に移動自在にガイドするためのキャリッジレールが備えられている場合には、そのキャリッジレールに形成した段差部を用いることができる。すなわち、その段差部の位置までキャリッジＭ４００１が移動したときに、そのキャリッジＭ４００１が傾けられるように構成することができる。また、記録ヘッドのインクの吐出状態を良好に維持するための回復処理を行う回復キャップが所定の回復ポジションに備えられている場合には、その回復キャップの上下方向の移動を利用することができる。すなわち、その回復ポジションにキャリッジＭ４００１を移動させて、回復キャップによって記録ヘッドの吐出口の形成面をキャッピングするときに、記録ヘッドと共にキャリッジＭ４００１を傾けるように構成することもできる。その回復キャップは、記録ヘッドの吐出口から吐出された画像の記録に寄与しないインクを収容したり、記録ヘッドの吐出口から画像の記録に寄与しないインクを吸引排出させるために用いることができる。また、キャリッジＭ４００１が、インク供給口３０側が高くなるようにインクカートリッジ１を傾けたまま主走査方向に移動することによって、揺動部材１００を揺動させながら移動させるようにしてもよい。
【００６８】
（第２の実施形態）
図１０は、本発明の第２の実施形態であるインクカートリッジを説明するための図であり、前述した実施形態とは、シャフト１０６の形状のみが異なる。図１０中の紙面の表裏方向は、主走査方向（矢印Ｘ方向）に対応する。
【００６９】
本例におけるシャフト１０７には２つの屈曲部１０６Ａ，１０６Ｂが形成されており、インク供給口３０側が低くなうように傾けてインク容器１０に取り付けられている。そのため、キャリッジＭ４００１が記録動作中などの通常の位置にあるときは、図１０（ａ）のように、屈曲部１０６Ａの範囲内において揺動部材１００がインク供給口３０側に収まっている。このため、インク供給口３０近傍のインクがより集中的に攪拌されることになる。
【００７０】
インク容器１０内のインク全体をより効率よく攪拌するためには、図１０（ｂ）〜（ｄ）のように、揺動部材１００をスライドさせつつ揺動させる。
【００７１】
まずは、図１０（ｂ）に示すようにインク供給口３０側が高くなるように、インクカートリッジ１を搭載しているキャリッジＭ４００１を傾ける。これにより、揺動部材１００は、屈曲部１０６Ａの範囲内において矢印Ｃ１方向にスライドして、図１０（ｃ）のようなインク容器１０の中央部の位置に収まる。この状態から、キャリッジＭ４００１が主走査方向の往復移動を開始すると、揺動部材１００は、前述したように主走査方向の揺動をしながら、自重により徐々にインク供給口３０側に向かって矢印Ｃ２方向にスライドする。この結果、揺動部材１００は、インク容器１０の中央部からインク供給口３０側に移動（スライド）しながら揺動して、インク容器１０内全体のインクをより効率よく攪拌することができる。
【００７２】
（第３の実施形態）
図１１は、本発明の第３の実施形態であるインクカートリッジを説明するための図であり、前述した実施形態とは、シャフト１０６の形状のみが異なる。図１１中の紙面の表裏方向は、主走査方向（矢印Ｘ方向）に対応する。
【００７３】
本例におけるシャフト１０６には、両端部に位置する太いパイプ１０６Ｃ，１０６Ｅと、中央部に位置する細いパイプ１０６Ｄと、を備えており、インク供給口３０側が低くなうように傾けてインク容器１０に取り付けられている。揺動部材１００の側に形成された孔１０７の内径は、パイプ１０６Ｄの外径よりもよりも小さいく、パイプ１０６Ｃ，１０６Ｅの外径よりも大きい。そのため、キャリッジＭ４００１が記録動作中などの通常の位置にあるときは、図１１（ａ）のように、パイプ１０６Ｄの範囲内において揺動部材１００がインク供給口３０側に収まっている。このため、インク供給口３０近傍のインクがより集中的に攪拌されることになる。
【００７４】
インク容器１０内のインク全体をより効率よく攪拌するためには、図１１（ｂ）〜（ｄ）のように、揺動部材１００をスライドさせつつ揺動させる。
【００７５】
まずは、図１１（ｂ）に示すようにインク供給口３０側が高くなるように、インクカートリッジ１を搭載しているキャリッジＭ４００１を傾ける。これにより、揺動部材１００は、パイプ１０６Ｄの範囲内において矢印Ｃ１方向にスライドして、図１１（ｃ）のようなインク容器１０の中央部の位置に収まる。この状態から、キャリッジＭ４００１が主走査方向の往復移動を開始すると、揺動部材１００は、前述したように主走査方向の揺動をしながら、自重により徐々にインク供給口３０側に向かって矢印Ｃ２方向にスライドする。この結果、揺動部材１００は、インク容器１０の中央部からインク供給口３０側に移動（スライド）しながら揺動して、インク容器１０内全体のインクをより効率よく攪拌することができる。
【００７６】
（第４の実施形態）
図１２から図１５は、本発明の第４の実施形態であるインクカートリッジを説明するための図であり、前述した第１の実施形態とは、シャフト１０６による揺動部材１００の支持位置のみが異なる。
【００７７】
本例における揺動部材１００は、孔１０７が上側開口部１０３寄りの位置に形成されており、その孔１０７を貫通するシャフト１０６によって、ばね部材５０と接触しないように揺動自在に支持されている。シャフト１０６は、前述した実施形態と同様に、インク供給口３０側が低くなるように斜めに取り付けられている（図１２および図１３参照）。
【００７８】
図１４は、本実施形態における揺動部材１００の動作を説明するためのインクカートリッジ１の側断面図である。
【００７９】
図１４（ａ）は、揺動部材１００の第１の状態を示す。キャリッジＭ４００１は記録媒体の記録幅の範囲で主走査方向（矢印Ｘ方向）往復移動するため、その移動方向が反転する際には、減速、停止、および反対方向への加速が行なわれる。その際、インクカートリッジ１には慣性力が働く。その慣性力が矢印Ｘ２方向に働く場合、つまりキャリッジＭ４００１の移動方向が矢印Ｘ２方向からＸ１方向に反転する場合、揺動部材１００は図１４（ａ）のように、支持部としての孔１０７を支点として矢印Ａ１方向に回転する。このとき下側開口部１０２側は、インク容器１０の一方の内壁に接触する。ここでは、このように慣性力がＸ２方向に働いている状態を第１の状態としている。キャリッジＭ４００１の移動方向が矢印Ｘ２方向からＸ１方向に反転した後、キャリッジＭ４００１が矢印Ｘ１方向の等速移動するときには、慣性力は働かなくなり、揺動部材１００は第１の状態のままに保たれる。
【００８０】
図１４（ｂ）は、揺動部材１００の第２の状態を示す。第２の状態は、第１の状態とは逆に、慣性力がＸ１方向に働く場合、つまりキャリッジＭ４００１の移動方向が矢印Ｘ１方向からＸ２方向に反転する場合、揺動部材１００は図１４（ｂ）のように、支持部１０１を支点として矢印Ａ２方向に回転する。このとき下側開口部１０２側は、インク容器１０の他方の内壁に接触する。ここでは、このように慣性力がＸ１方向に働いている状態を第２の状態としている。キャリッジＭ４００１の移動方向が矢印Ｘ１方向からＸ２方向に反転した後、キャリッジＭ４００１が矢印Ｘ２方向の等速移動するときには、慣性力は働かなくなり、揺動部材１００は第２の状態のままに保たれる。
【００８１】
記録動作に伴ってキャリッジＭ４００１が往復移動を繰り返すため、揺動部材１００は、繰り返し図１４（ａ），（ｂ）の第１および第２の状態となって、インク収納室８０内のインクを攪拌する。
【００８２】
図１４（ｃ）は、揺動部材１００が揺動するときの開口部１０２，１０３の変位方向、変位量、およびインクの流れを示す。
【００８３】
揺動部材１００の揺動に伴う下側開口部１０２の変位量Ｘ（１０２）は、上側開口部１０３の変位量Ｘ（１０３）より大きい。そのため、下側開口部１０２とその近傍のインクとの相対的な移動速度は、上側開口部１０３とその近傍のインクとの相対的な移動速度よりも速くなる。上側開口部１０３、下側開口部１０２、および中空部１０４が共にインクに没しているとき、２つの開口部１０２，１０３の速度差により、下側開口部１０２の近傍のインクと、上側開口部１０３の近傍のインクと、の間に圧力差が生じる。
【００８４】
本例では、下側開口部１０２とその近傍のインクとの相対的な移動速度は、上側開口部１０３とその近傍のインクとの相対的な移動速度よりも速いため、下側開口部１０２近傍のインクの圧力は、上側開口部１０３近傍のインクより低くなる。したがって、上側開口部１０３から下側開口部１０２に向かって、中空部１０４を通してインクの流れＢ１，Ｂ２，Ｂ３が生じる。このインクの流れを利用して、インク収納室８０の下層部に沈降しがちな顔料粒子を上層部にまで持ち上げることができ、この結果、インク収納室８０内の顔料粒子を攪拌することができる。
【００８５】
図１５は、揺動部材１００のシフト動作を説明するための図である。
【００８６】
図１５（ａ）に示すように、シャフト１０６は、インク供給口３０側が低くなうように傾けてインク容器１０に取り付けられている。キャリッジＭ４００１が記録動作中などの通常の位置にあるときは、揺動部材１００がインク供給口３０側に収まっている。このため、インク供給口３０近傍のインクがより集中的に攪拌されることになる。
【００８７】
インク容器１０内のインク全体をより効率よく攪拌するためには、図１５（ｂ）〜（ｄ）のように、揺動部材１００をスライドさせつつ揺動させる。
【００８８】
まずは、図１５（ｂ）に示すようにインク供給口３０側が高くなるように、インクカートリッジ１を搭載しているキャリッジＭ４００１を傾ける。これにより、揺動部材１００は、シャフト１０６に沿って矢印Ｃ１方向にスライドして、図１１（ｃ）のようにインク供給口３０の反対側の位置に収まる。この状態から、キャリッジＭ４００１が主走査方向の往復移動を開始すると、揺動部材１００は、前述したように主走査方向の揺動をしながら、自重により徐々にインク供給口３０側に向かって矢印Ｃ２方向にスライドする。この結果、揺動部材１００は、インク供給口３０側に移動（スライド）しながら揺動して、インク容器１０内全体のインクをより効率よく攪拌することができる。
【００８９】
（他の実施形態）
揺動部材を支持するための構成は、前述したようにシャフトを用いた構成のみに特定されない。要は、液体収納容器の移動に伴う慣性力によって所定の揺動方向に揺動可能、かつ、その揺動方向と交差する方向に移動可能に、揺動部材が支持できればよい。揺動部材は、一端側の開口部（第１開口部）と他端側の開口部（第２開口部）とを連通して液体を案内する中空部が形成されて、管状を成すものであればよい。撹拌部材の大きさ、形状、および配備数は、液体収納容器の形態などに応じて設定することができ、何ら、上述した実施形態のみに特定されない。
【００９０】
上述した実施形態の液体収納容器（インクカートリッジ）において、液体を収納可能な液体収納部（インク収納室）は、液体（インク）の収納量が減っても容積が変化しない構成となっている。しかし、その液体収納部は、液体の収納量の減少に伴って容積が変化するように構成してもよい。例えば、その液体収納部の内壁の少なくとも一部、または、その液体収納部に連通する液室の内壁の少なくとも一部を可撓性部材により形成し、その可撓性部材が液体の収納量に応じて変形するようにしてもよい。つまり、液体の消費などによる液体の収納量の減少に伴って、液体収納部の容積が減少するように構成してもよい。可撓性部材は、ばねなどの付勢手段によって、液体収納部の容積を拡大させる方向に付勢してもよく、これにより液体収納部内の負圧を維持することもできる。このような可撓性部材または弾性部材を備えた液体収納容器は、「ばね袋タイプ」とも称されている。また、液体の収納量の減少に応じて液体収納部の容積が減少するように構成した場合には、その液体収納部内における液体の液面と、その液体収納部内に備わる撹拌部材と、の位置関係の変化を小さく抑えることができる。このことは、撹拌部材の攪拌機能を維持する上において有利である。
【００９１】
また、本発明の液体収納容器は、インクジェット記録ヘッドと一体的に構成されるインクタンク、つまりヘッドカートリッジにも適用可能である。
【図面の簡単な説明】
【００９２】
【図１】本発明の第１の実施形態における記録装置の外観斜視図である。
【図２】本発明の第１の実施形態における記録装置の内部機構を説明するための斜視図である。
【図３】本発明の第１の実施形態におけるキャリッジに搭載可能な記録ヘッドカートリッジとインクカートリッジの斜視図である。
【図４】本発明の第１の実施形態におけるインクカートリッジの斜視図である。
【図５】本発明の第１の実施形態におけるインクカートリッジの分解斜視図である。
【図６】本発明の第１の実施形態における揺動部材の設置状態を説明するための斜視図である。
【図７】本発明の第１の実施形態における揺動部材の設置状態を説明するための正面図である。
【図８】本発明の第１の実施形態における揺動部材の動作を説明するための図である。
【図９】本発明の第１の実施形態における揺動部材の動作を説明するための図である。
【図１０】本発明の第２の実施形態における揺動部材の動作を説明するための図である。
【図１１】本発明の第３の実施形態における揺動部材の動作を説明するための図である。
【図１２】本発明の第４の実施形態における揺動部材の設置状態を説明するための斜視図である。
【図１３】本発明の第４の実施形態における揺動部材の設置状態を説明するための正面図である。
【図１４】本発明の第４の実施形態における揺動部材の動作を説明するための図である。
【図１５】本発明の第４の実施形態における揺動部材の動作を説明するための図である。
【符号の説明】
【００９３】
１    インクカートリッジ（液体収納容器）
１０    インク容器
８０    インク収納室
１００    揺動部材
１０２    下側開口部
１０３    上側開口部
１０４    中空部
１０６    シャフト
【図１】
2008273040.tif 000005
【図２】
2008273040.tif 000006
【図３】
2008273040.tif 000007
【図４】
2008273040.tif 000008
【図５】
2008273040.tif 000009
【図６】
2008273040.tif 000010
【図７】
2008273040.tif 000011
【図８】
2008273040.tif 000012
【図９】
2008273040.tif 000013
【図１０】
2008273040.tif 000014
【図１１】
2008273040.tif 000015
【図１２】
2008273040.tif 000016
【図１３】
2008273040.tif 000017
【図１４】
2008273040.tif 000018
【図１５】
2008273040.tif 000019